(57)【特許請求の範囲】
【請求項１】
指紋センサが外部基板に実装されてなる指紋検出器であって、
前記指紋センサは、主面に設けた指紋検出面と、裏面に設けた接続電極と、前記指紋検出面と前記接続電極とを接続する貫通電極とを備え、前記指紋センサの前記接続電極と前記外部基板の電極とが対向配置され、接続端子によりフェースダウン接続されており、
前記指紋センサの前記接続電極形成面と、前記外部基板の前記電極形成面との間に、前記指紋検出面の平坦性を保つためのスペーサーを備えることを特徴とする指紋検出器。
【請求項２】
前記スペーサーが、前記接続端子により生じる前記指紋センサと前記外部基板との隙間内に配設されることを特徴とする請求項１に記載の指紋検出器。
【請求項３】
前記外部基板の前記指紋センサ搭載面側に所定の深さの凹部が形成され、前記スペーサーが、前記接続端子及び前記凹部により生じる前記指紋センサと前記外部基板との隙間内に配設されることを特徴とする請求項１に記載の指紋検出器。
【請求項４】
少なくとも、前記指紋センサと前記外部基板との間、及び、前記指紋検出面側の前記貫通電極露出面が、樹脂により封止されていることを特徴とする請求項１乃至３のいずれか一に記載の指紋検出器。
【請求項５】
前記指紋センサが、０．１ｍｍ以下の厚さに加工されていることを特徴とする請求項１乃至４のいずれか一に記載の指紋検出器。
【請求項６】
請求項１乃至５のいずれか一に記載の指紋検出器を備えたことを特徴とする携帯端末機器。
【請求項７】
前記指紋検出器が、前記携帯機器の筐体に設けた開口部から前記指紋検出面が露出するように配設され、かつ、前記指紋検出面の周囲が前記筐体に固定されていることを特徴とする請求項６記載の携帯端末機器。
【発明の詳細な説明】
【０００１】
【発明の属する技術分野】
本発明は、各種検出素子及びその実装構造並びに該検出素子を備えた検出器に関し、特に、高密度化が要求される携帯機器ならびに携帯端末に使用される指紋センサ等の検出素子及びその実装構造並びに該検出素子を備えた検出器に関する。
【０００２】
【従来の技術】
指紋を検出する指紋センサは、従来、入退室管理における扉の鍵に代わるものとして開発されてきたが、近年、コンピュータネットワークにおけるセキュリティ問題から、個人を認証する為の手段としてパーソナルコンピュータへの指紋センサの適用なども一部で始められている。
【０００３】
指紋センサを用いた指紋検出方法としては、静電容量の変異を測定する静電容量式検出法と、反射光を検出する光学式検出法に大別されるが、小型化を考慮した場合、静電容量式検出法が有利であり、積極的に開発が進められている。ここで、従来の指紋センサの実装構造について図面を参照して説明する。
【０００４】
図７は、従来の指紋センサを実装した指紋検出器の構造を示す断面図である。図に示すように、従来の指紋検出器は、回路基板（外部接続基板５）に指紋センサ１をダイボンディングし、指紋センサ１の接続端子４と外部接続基板５の端子とをボンディングワイヤ２０により電気的に接続した後、封止樹脂６で樹脂封止すると共に金属もしくは樹脂の外形保護キャップ９により周辺を覆う構造をとっている。そして、この指紋検出器はセキュリティを維持するパーソナルコンピュータなどの内部にあるドライバ回路やメモリに接続して駆動することにより利用される。
【０００５】
また、指紋センサ等のような接触型素子ではないが、ＣＣＤ（固体撮像素子）などの非接触型素子では、指紋センサと同様のボンディングワイヤによる実装構造の上に、ガラスを利用した気密封止、もしくは透明樹脂を利用した封止が実施された構造となっている。
【０００６】
【発明が解決しようとする課題】
しかしながら、近年ではインターネット情報化や電子商取引の普及により、セキュリティ対策や個人認証の検討はパーソナルコンピュータのみならず、携帯可能な情報端末機器へと広がってきており、携帯情報端末機器にも搭載可能なように、検出器自体の高密度実装化が図られている。
【０００７】
ここで、従来の実装構造は、電気的接続をワイヤボンディングにより行うものであるため、ボンディングワイヤのループ高さを稼ぐために高さを確保する必要があり、また、ボンディングワイヤを接続するための接続エリアを設けなければならず、更に、これらのボンディングワイヤを保護するための樹脂被覆エリアを大きく設けなければならないという問題があり、高密度化に対しては不十分な構造である。
【０００８】
さらに、センサ駆動用のＬＳＩや、センサで読み取った情報を記憶するメモリチップをセンサの周辺に２次元的に配置するため、実際の検出器としての容積は大きくなってしまい、高密度化を図ることができない。特に、携帯端末に付属するための検出器としては、より一層の高密度実装化が必要とされている。
【０００９】
また、ＣＣＤにおける画素数の増加は画質の向上に必要とされているが、電気的な接続点数の増加や、メモリ容量の増加が必要となり、従来のワイヤボンディングによる電気的な接続では接続点数の増加は見込めず、さらに高密度化も図れない。特に、ビデオカメラ、携帯端末などの用途では、小型軽量化、高密度実装化が望まれている。
【００１０】
本発明は、上記問題点に鑑みてなされたものであって、その主たる目的は、携帯情報端末などに適用できる小型軽量で、高密度実装が可能な各種センサ及びその実装構造並びにセンサを備えた検出器を提供することにある。
【００１１】
【課題を解決するための手段】
上記目的を達成するため、本発明は、指紋センサが外部基板に実装されてなる指紋検出器であって、前記指紋センサは、主面に設けた指紋検出面と、裏面に設けた接続電極と、前記指紋検出面と前記接続電極とを接続する貫通電極とを備え、前記指紋センサの前記接続電極と前記外部基板の電極とが対向配置され、接続端子によりフェースダウン接続されており、前記指紋センサの前記接続電極形成面と、前記外部基板の前記電極形成面との間に、前記指紋検出面の平坦性を保つためのスペーサーを備えるものである。
【００１９】
また、本発明においては、前記スペーサーが、前記接続端子により生じる前記指紋センサと前記外部基板との隙間内に配設される構成、又は、前記外部基板の前記指紋センサ搭載面側に所定の深さの凹部が形成され、前記スペーサーが、前記接続端子及び前記凹部により生じる前記指紋センサと前記外部基板との隙間内に配設される構成とすることができる。
【００２０】
また、本発明においては、少なくとも、前記指紋センサと前記外部基板との間、及び、前記指紋検出面側の前記貫通電極露出面が、樹脂により封止されていることが好ましい。
【００２１】
また、本発明においては、前記指紋センサが、０．１ｍｍ以下の厚さに加工されていることが好ましい。
【００２２】
また、本発明の携帯端末機器は、上記指紋検出器を備えたことを特徴とするものである。
【００２３】
本発明においては、前記指紋検出器が、前記携帯機器の筐体に設けた開口部から前記指紋検出面が露出するように配設され、かつ、前記指紋検出面の周囲が前記筐体に固定されている構成とすることができる。
【００２４】
このように、本発明に係る指紋センサ等の検出素子は、主面に設けたセンサ面と、裏面に設けた接続電極と、センサ面と裏面に設けた接続電極とを接続する貫通電極とを備えたことを特徴としている。この指紋センサをセンサ面を上面にして、指紋センサの裏面に設けた接続電極と外部接続基板の電極とをハンダなどを介して電気的に接続すると共に、樹脂により外部接続基板と指紋センサの間隙を充填する。指紋センサの外形をケースにより上部から保護し、センサ面を露出させた構造となっている。
【００２５】
このように、指紋センサの裏面に接続用の電極を設け、この接続用電極とセンサ面の電極とを貫通電極により接続することによって、従来、ワイヤボンディングによって接続されていた構造に比べ、ワイヤの高さ及び接続に掛かる面積を大きく削減することができ、実装に掛かる容積を最小にすることできるという効果が得られる。
【００２６】
また、本発明に係る指紋センサ等の検出素子を実装した検出器によれば、主面に設けたセンサと、裏面に設けた接続電極と、センサ面と裏面に設けた接続電極とを接続する貫通電極とを備え、センサ面を上面にして指紋センサの裏面に設けた接続電極と外部接続基板の電極とをハンダなどを介し電気的に接続すると共に、指紋センサの裏面に指紋センサの駆動に必要な半導体チップを接続したという特徴を有し、樹脂により外部接続基板と指紋センサの間隙を充填し、チップの外形をケースにより上部から保護し、センサ面を露出させた構造となっている。
【００２７】
従来であれば、指紋センサの駆動用ＬＳＩや指紋センサで読み取った情報を記憶するメモリチップと指紋センサとの接続を外部接続基板を介して行っていたために、駆動用ＬＳＩやメモリチップを指紋センサの周辺に２次元的に配置するか、機能を必要とする本体機器に設けなければならず、実際の装置としての容積は大きくなり高密度化が図れなかった。しかし、本発明では、指紋センサの裏面のスペースに指紋センサの駆動に必要な半導体チップを接続することにより、特に携帯端末に付属するための指紋センサ装置としては、より一層の高密度実装化が可能となり、実装密度を著しく向上させる効果が得られる。
【００２８】
【発明の実施の形態】
本発明の目的、特徴および利点を明確にすべく、添付した図面を参照しながら、本発明の実施の形態について以下に詳述する。図１は、本発明の一実施形態に係る指紋センサの構造を示す断面図であり、図２は指紋センサを基板に実装した状態を示す断面図である。
【００２９】
図１及び図２に示すように、指紋センサ１は、センサ面２に形成された接続電極と、裏面に形成された接続用電極と、センサ面と裏面の接続電極を接続するための貫通電極３とが設けられた構造をとっている。また、指紋センサ１裏面の接続用電極と外部接続基板５とはハンダによる接続端子４によって接続され、センサ主面２を露出した状態で封止樹脂６及び外形保護のキャップ９を取り付けた構成となっている。
【００３０】
このような構造によれば、指紋検出器の電気的接続は指紋センサ１の寸法内にある裏面に形成した電極により行なうことができるため、指紋検出器の外形寸法は指紋センサ１の大きさと外形保護の為のキャップ９によって決定され、実装した状態での容積を指紋センサ１に対して最小に抑えることができる。
【００３１】
ここで、指紋センサ１の厚さは０．１ｍｍ程度であり、接続端子４はハンダによる接合のため、０．０９ｍｍ程度である。これを０．２ｍｍ程度の厚さの外部接続基板５に実装し樹脂封止すると、樹脂封止厚さ略０．１ｍｍ、外形保護のためのキャップ略０．２ｍｍを含めて、全体で略０．７ｍｍ以下に抑えることができ、高密度に実装できることを確認した。
【００３２】
【実施例】
上記した本発明の実施の形態についてさらに詳細に説明すべく、本発明の実施例について図面を参照して説明する。
【００３３】
［実施例１］
まず、本発明の第１の実施例に係る指紋センサの実装構造及び指紋センサを備えた指紋検出器について、図３を参照して説明する。図３は、第１の実施例に係る指紋センサを実装した指紋検出器の構造を示す断面図である。
【００３４】
図３に示すように、指紋センサ１には、センサ面２に形成された接続電極と、裏面に形成された外部接続基板５との接続用電極を接続するための貫通電極３とが設けられている。指紋センサ１裏面の接続用電極と外部接続基板５とはハンダによる接続端子４によって接続され、更に、指紋センサ１と外部接続基板５との間にはセンサ面２に指を押圧し指紋を検出する際の指紋センサ１に掛かる圧力を緩和するためのスペーサー８が配置され、センサ主面２を露出した状態で封止樹脂６及び外形保護のキャップ９を取り付けた構成となっている。
【００３５】
この構造によれば、指紋検出器の電気的接続は指紋センサ１の寸法内にある裏面に形成した電極により行なうことができるため、指紋検出器の外形寸法は指紋センサ１の大きさと外形保護の為のキャップ９によって決定され、実装した状態での容積を指紋センサ１に対して最小に抑えることができる。また、スペーサー８によってセンサ面２に指を押圧し指紋を検出する際の指紋センサ１に掛かる圧力を緩和することが可能となり、指紋センサ１の破壊、または指紋センサ１の歪によって生じる誤検出を防止することができる。
【００３６】
なお、図３では、スペーサー８を独立して挿入する構成としているが、外部接続基板５のスペーサー８に対応する部分が凸形状となった一体型構造としても良い。また、スペーサー８としては、指の押圧で容易に変形しない程度以上の強度を有する任意の材料を用いることができるが、接続端子４との電気的接触を避けるためにプラスチック等のような絶縁性が高く加工が容易で軽量な材料を用いることがこのましい。
【００３７】
［実施例２］
次に、本発明の第２の実施例に係る指紋センサの実装構造及び指紋センサを備えた指紋検出器について、図４及び図５を参照して説明する。図４は、第２の実施例に係る指紋センサを実装した指紋検出器の構造を示す断面図である。図５は、指紋検出器の他の構造を示す断面図である。
【００３８】
図４に示すように、指紋センサ１には、センサ面２に形成された接続電極と、裏面に形成された外部接続基板５との接続用電極を接続するための貫通電極３とが設けられている。指紋センサ１の裏面には、指紋センサ１の駆動に必要な半導体チップ７が接続され、指紋センサ１は裏面の接続用電極と外部接続基板５はハンダによる接続端子４によって接続され、センサ主面２を露出した状態で封止樹脂６及び外形保護のキャップ９を取り付けた構成となっている。
【００３９】
この構造によれば、センサの駆動に必要な半導体チップ７も接続端子４で囲まれたスペースに配置しており、半導体チップ７を実装した状態で、指紋検出器の電気的接続は指紋センサ１の寸法内にある裏面に形成した電極により行なっているため、指紋検出器の外形寸法は指紋センサ１の大きさと外形保護の為のキャップ９によって決定され、実装した状態での容積を指紋センサ１に対して最小に抑え、実装密度を向上させることができる。
【００４０】
また、このような構造をとることにより高密度実装が可能になると共に、ドライバＩＣやメモリ等とセンサとの接続距離を短くすることができ、大容量の情報を必要とする場合など、高速化においても効果をあげることが出来る。
【００４１】
なお、指紋センサ１の駆動用の半導体チップ７としては、ドライバチップのほか、メモリやマイコンなどを必要に応じて用いることができ、各種半導体チップを１個又は２個以上接続することも可能である。
【００４２】
また、指紋センサ１の駆動に必要な半導体チップ７が大きい場合には、図５に示すように、外部接続基板５側を加工し、外形寸法を増加させることなく、高密度に実装することができる。搭載する部品の大きさが異なる場合には、この様な形態をとることによって、本実装構造の適用範囲を広げることができる。
【００４３】
［実施例３］
次に、本発明の第３の実施例に係る指紋センサの実装構造及び指紋センサを備えた携帯電話機について、図６を参照して説明する。図６は、第３の実施例に係る指紋センサを実装した携帯電話機の構造を模式的に示す断面図である。
【００４４】
図６に示すように、携帯電話の部品を実装する実装基板１０の片面に、センサ面２に形成された接続電極と、裏面に形成された接続用電極とを接続するための貫通電極３が形成された指紋センサ１がハンダによる接続端子４によって実装され、センサ主面２を露出した状態で封止樹脂６がコートされている。
【００４５】
また、実装基板１０の同じ面及び裏面には、その他の携帯電話を構成するＬＳＩやチップ部品が実装されている。この実装基板１０は、筐体１１の一部に開口された部分に指紋センサ１のセンサ面２が位置するように構成され、センサ面を露出し、外形を保護すると共に、その他のマイク部１６、スピーカ部１７、アンテナ１４、ディスプレイ部１２、電池部１８、キーパッド１３など携帯電話を構成する部品と共に筐体１１に収められている。
【００４６】
この構造によれば、指紋センサ１の外形を保護するためのキャップ９を使用することなく、機器の筐体裏面を外形保護キャップ９として利用することができ、高密度化を図り、携帯電話等の小型機器に実装することが可能である。また、検出器の電気的接続は指紋センサ１の寸法内にある裏面に形成した電極により行なっているので、検出器の占める外形寸法の割合は指紋センサ１の大きさと等しく、実装密度を向上させることが可能となる。
【００４７】
これら一連の発明において、指紋センサ１の厚さは貫通電極３を形成するために薄くすることが望ましく、０．１ｍｍ程度の厚さが通常適用される。実装密度向上の観点から指紋センサ１はさらに薄く加工しても良く、現在、０．０５ｍｍまで薄く加工することが可能である。また、指紋センサ１の反りや、強度の観点から剛性が必要な場合は０．１ｍｍに限定することなく、適宜厚さを増しても良い。
【００４８】
また、第１及び第２の実施例では、外形を保護するキャップ９を取り付けた構造を示したが、センサ面２が露出していれば良く、センサ面２を囲むようにダムを設け、封止樹脂６で封止するのみの構造でも良い。
【００４９】
また、裏面電極には接続端子４がハンダによって接続されているが、ハンダによらず、Ａｕ、Ｓｎ、Ｃｕまたはこれらの合金などを用いた通常の電子機器の実装に使用される接続技術を用いても良い。
【００５０】
なお、前記した実施例では、指紋センサならびに携帯電話の実装構造についてのみ記載したが、本発明は上記実施例に限定されるものではなく、接触式の他の種類のセンサ、また、非接触式のセンサである固体撮像素子などの実装や、任意の半導体チップの複合実装、小型軽量化が求められる任意の携帯端末機器の実装にも応用することが可能である。
【００５１】
【発明の効果】
以上説明したように、本発明の指紋センサは、主面に設けたセンサ面と、裏面に設けた接続電極と、指紋センサと裏面に設けた接続電極とを接続する貫通電極とを備えており、この指紋センサをセンサ面を上面にして指紋センサの裏面に設けた接続電極と外部接続基板の電極とをハンダなどを介し電気的に接続すると共に、樹脂により外部接続基板と指紋センサの間隙を充填し、チップの外形をケースにより上部から保護し、センサ面を露出させた構造となっている。
【００５２】
このような基本構成に基づき、指紋センサの裏面に接続用の電極を設け、この接続用電極とセンサ面の電極とを貫通電極により接続することで、従来、ワイヤボンディングによって接続されていた構造に比べ、ワイヤの高さ及び接続に掛かる面積を大きく削減することができ、実装に掛かる容積を最小にすることできるという効果が得られる。
【００５３】
また、スペーサーを指紋センサと外部接続基板との間に設けることにより、指紋を読み取る際のセンサに掛かる押圧力による指紋センサの変形や破損を防ぐことができ、誤検出や破損による故障を防止した信頼性の高い指紋検出器を提供することができる。
【００５４】
また、本発明の指紋検出器は、主面に設けたセンサ面と、裏面に設けた接続電極と、指紋センサと裏面に設けた接続電極とを接続する貫通電極とを備え、センサ面を上面にして指紋センサの裏面に設けた接続電極と外部接続基板の電極とをハンダなどを介し電気的に接続すると共に、指紋センサの裏面に指紋センサの駆動に必要な半導体チップを接続し、樹脂により外部接続基板と指紋センサの間隙を充填し、チップの外形をケースにより上部から保護し、センサ面を露出させた構造となっている。
【００５５】
従来であれば、指紋センサの駆動用ＬＳＩや指紋センサで読み取った情報を記憶するメモリチップと指紋センサの接続を外部接続基板を介して行っていたために、周辺に２次元的に配置するか、機能を必要とする本体機器に設けなければならず、実際の装置としての容積は大きくなり高密度化が図れなかったが、本発明では、指紋センサの裏面のスペースに指紋センサの駆動に必要な半導体チップを接続することにより、特に携帯端末に付属するための指紋センサ装置としては、より一層の高密度実装化が可能となり、実装密度を著しく向上させる効果が得られ、かつ、ドライバＩＣやメモリ等と指紋センサとの接続距離が短くなり、大容量の情報を必要とする場合など、高速化においても効果をあげることができる。
【００５６】
また、本発明の携帯電話機は、携帯電話の部品を実装する実装基板の片面にセンサ面に形成された接続電極と、裏面に形成された接続用電極を接続するための貫通電極が形成された指紋センサがハンダによる接続端子によって実装され、センサ主面を露出した状態で封止樹脂がコートされ、また実装基板の同じ面及び裏面にはその他の携帯電話を構成するＬＳＩやチップ部品が実装され、この実装基板は筐体の一部に開口された部分に指紋センサが位置し、センサ面を露出し、外形を保護すると共に、その他のマイク、スピーカ、アンテナ、ディスプレイ、電池、キーパッドなど携帯電話を構成する部品と共に筐体に収められた構造となっている。
【００５７】
このような基本構成に基づき、指紋センサの外形保護キャップの簡素化による高密度化を図ることができ、またセンサ装置の電気的接続は指紋センサの寸法内にある裏面に形成した電極により行なっているので、センサ装置の占める外形寸法の割合は指紋センサの大きさと等しく、実装密度を向上させた携帯端末機器の実装構造が提供できる。また、本発明では携帯電話機の実装構造について述べているが、例えば、ICカードや、自動車の鍵、住宅扉の鍵など、小型でかつ個人にて機能を有することでセキュリティが向上する部品や耐候性が必要な部品へ高密度な実装構造を提供することができる。
【００５８】
なお、本発明は上記各実施例に限定されず、本発明の技術思想の範囲内において、各実施例は適宜変更され得ることは明らかである。
【図面の簡単な説明】
【図１】本発明の一実施の形態に係る指紋センサの構造を示す断面図である。
【図２】本発明の一実施の形態に係る指紋センサの実装構造を示す断面図である。
【図３】本発明の第１の実施例に係る指紋センサの実装構造を示す断面図である。
【図４】本発明の第２の実施例に係る指紋センサの実装構造を示す断面図である。
【図５】本発明の第２の実施例に係る指紋センサの実装構造を示す断面図である。
【図６】本発明の第３の実施例に係る指紋センサの実装構造を示した携帯端末機器の断面図である。
【図７】従来の指紋センサの実装構造を示す断面図である。
【符号の説明】
１  指紋センサ
２  センサ面
３  貫通電極
４  接続端子
５  外部接続基板
６  封止樹脂
７  半導体チップ
８  スペーサー
９  外形保護キャップ
１０  実装基板
１１  筐体
１２  ディスプレイ部
１３  キーパッド部
１４  アンテナ
１５  実装部品
１６  マイク部
１７  スピーカ部
１８  電池部
２０  ボンディングワイヤ
【図１】
0004702586.tif 000002
【図２】
0004702586.tif 000003
【図３】
0004702586.tif 000004
【図４】
0004702586.tif 000005
【図５】
0004702586.tif 000006
【図６】
0004702586.tif 000007
【図７】
0004702586.tif 000008